(57)【要約】      （修正有）【課題】底面をアジャスターやキャスターで支持する機器等が大きな地震、特に横揺れが激しい地震に遭遇した場合でも確実に転倒防止を図ることができる、転倒防止用アジャスター固定具を提供する。【解決手段】機器の底面に固設されたアジャスターやキャスターの軸を固定するための保持溝５を有すると共に当該保持溝の開口部より前記アジャスターやキャスターの軸が抜け外れるのを防止するための係止板６を開口部に固着することができる保持金具４と、保持金具の一端を固定するためのボルト９を少なくとも２本有して締着することができると共に裏面に粘着ゲルマット３を貼着したベース板２とにて構成する。【選択図】図１
0003190247.tif 000002
【実用新案登録請求の範囲】
【請求項１】
機器の底面に固設されたアジャスターやキャスターの軸を固定するための保持溝を有すると共に当該保持溝の開口部より前記アジャスターやキャスターの軸が抜け外れるのを防止するための係止板を前記開口部に固着することができる保持金具と、該保持金具の一端を固定するためのボルトを少なくとも２本有して締着することができると共に裏面に粘着ゲルマットを貼着したベース板とにて構成することを特徴とする、転倒防止用アジャスター固定具。
【考案の詳細な説明】
【技術分野】
【０００１】  本考案は、底面をアジャスターやキャスターで支持する機器等が地震発生時等において転倒するのを防止するための転倒防止用アジャスター固定具に関し、従来の欠点を改良して確実に転倒防止を図ることができる、改良型の転倒防止用アジャスター固定具に関するものである。
【背景技術】
【０００２】  従来、オフィスや工場を始めあらゆる場所において底面をアジャスターやキャスターで支持する機器等が設置されている。【０００３】  地震発生時等において上記機器等の転倒を防止するための方法の一つとして、図２の従来の転倒防止用アジャスター固定具の外形図で示すような固定具が使用されている。該図において（ａ）は平面図であり、（ｂ）は正面図である。該転倒防止用アジャスター固定具１０の使用方法として、機器等の底面にあるアジャスターやキャスターの軸を保持金具４の保持溝５に嵌入して固定すると共に、前記保持金具４をベース板２に固定されたボルト９にナット８を締着して固定し、さらに前記ベース板２の裏面に貼着された粘着ゲルマット３を床に貼着して固定するものである。
【考案の開示】
【考案が解決しようとする課題】
【０００４】  しかしながら、上記従来の転倒防止用アジャスター固定具１０による固定方法では、大きな地震、特に横揺れが激しい地震が発生した場合、ベース板２と保持金具４とは一本のボルト９のみで固定されているため、図中矢印ａの方向に当該ボルト９を中心に回動してナット８が緩み、さらには図中矢印ｂの方向に前記保持金具４の保持溝５に固定した機器等の底面にあるアジャスターやキャスターの軸も緩んで抜け外れてしまう。そのため、転倒防止の機能を果たすことなく機器等が転倒してしまうことになる。【０００５】  上述の機器等が、例えば医療機器の場合には人命に関わる危険性があり、システム制御機器等の場合には重大な事故に繋がる危険性がある。このため、大きな地震、特に横揺れが激しい地震が発生した場合でも確実に転倒防止を図ることができる転倒防止用アジャスター固定具の開発が求められていた。【０００６】  本考案は、上記従来の転倒防止用アジャスター固定具の欠点を解決するために成されたものであり、底面をアジャスターやキャスターで支持する機器等が大きな地震、特に横揺れが激しい地震が発生した場合でも確実に転倒防止を図ることができる、転倒防止用アジャスター固定具を提供することを目的とする。
【課題を解決するための手段】
【０００７】  上記課題を解決するため、本考案の転倒防止用アジャスター固定具は、機器の底面に固設されたアジャスターやキャスターの軸を固定するための保持溝を有すると共に当該保持溝の開口部より前記アジャスターやキャスターの軸が抜け外れるのを防止するための係止板を前記開口部に固着することができる保持金具と、該保持金具の一端を固定するためのボルトを少なくとも２本有して締着することができると共に裏面に粘着ゲルマットを貼着したベース板とにて構成する。
【考案の効果】
【０００８】  本考案の転倒防止用アジャスター固定具を用いれば、底面をアジャスターやキャスターで支持する機器等が大きな地震、特に横揺れが激しい地震が発生した場合でも確実に転倒防止を図ることができるという絶大なる効果を奏する。
【考案を実施するための最良の形態】
【０００９】  本考案を実施するための最良の形態を図を用いて説明する。【００１０】  図１は本考案の転倒防止用アジャスター固定具の外形図であり、（ａ）は平面図、（ｂ）は正面図である。該図に示すように、本考案の転倒防止用アジャスター固定具１は、機器の底面に固設されたアジャスターやキャスターの軸（図示せず）を固定するための保持溝５を有すると共に当該保持溝５の開口部より前記アジャスターやキャスターの軸（図示せず）が抜け外れるのを防止するための係止板６を前記開口部に固着することができる保持金具４と、該保持金具４の一端を固定するためのボルト９を少なくとも２本有して締着することができると共に裏面に粘着ゲルマット３を貼着したベース板２とにて構成する。【００１１】  上記係止板６の固着方法として、保持溝５の開口部の両端部にボルト７で締着する方法を示しているが、これに限定せず他の方法であっても構わない。【００１２】  図３は本考案の転倒防止用アジャスター固定具の使用状態を示した図である。該図においては、機器１２の底面にアジャスター１３が螺着され、ナット１５にて締着されている。該アジャスター１３の軸は保持金具４の保持溝５に嵌入され、ナット１４にて締着されると共に前記保持溝５の開口部の両端部に係止板６をボルト７で締着している。また、前記保持金具４の一端はベース板２に固定された２本のボルト９にナット８を締着して固定されている。さらに、前記ベース板２の裏面に貼着された粘着ゲルマット３が床１１に貼着されている。【００１３】  上記状態において、大きな地震、特に横揺れが激しい地震が発生した場合、保持金具４の一端を２本のボルト９で固定しているため、当該保持金具４は図２で示す従来の保持金具４のように回動することがなくなる。また、保持溝５の開口部には係止板６が固着されているため、アジャスター１３の軸が当該保持溝５より抜け外れることもなくなる。このため、底面をアジャスター１３やキャスター（図示せず）で支持する機器１２等が大きな地震、特に横揺れが激しい地震が発生した場合でも確実に転倒防止を図ることができることになる。
【図面の簡単な説明】
【００１４】
【図１】本考案の転倒防止用アジャスター固定具の外形図である。
【図２】従来の転倒防止用アジャスター固定具の外形図である。
【図３】本考案の転倒防止用アジャスター固定具の使用状態を示した図である。
【符号の説明】
【００１５】  １  転倒防止用アジャスター固定具
２  ベース板
３  粘着ゲルマット
４  保持金具
５  保持溝
６  係止板
７  ボルト
８  ナット
９  ボルト
１０  転倒防止用アジャスター固定具
１１  床
１２  機器
１３  アジャスター
１４  ナット
１５  ナット
【図１】
0003190247.tif 000003
【図２】
0003190247.tif 000004
【図３】
0003190247.tif 000005